(57)【要約】【課題】操作が簡単で高い認識率を備える電子装置の入力装置およびその入力方法を提供する。【解決手段】電子装置の入力装置およびその入力方法であって、入力装置４は少なくとも入力インターフェイス４０、処理ユニット４１および執行ユニット４２を備え、入力インターフェイス４０はタッチスクリーンまたはタッチパネルであり、使用者は指またはタッチペンで１画の手書き筆跡４０１を入力でき、処理ユニット４１はこの手書き筆跡４０１の方向転換動向の比較分析を行うことができ、執行ユニット４２はこの方向転換動向の比較結果に基づき、所定機能を執行する。【選択図】  図４
2007317159.tif 000002
【特許請求の範囲】
【請求項１】
入力インターフェイス、処理ユニットおよび執行ユニットを備え、
前記入力インターフェイスは、外部から所定の１画の手書き筆跡を入力し、
前記処理ユニットは、前記手書き筆跡の方向転換動向の比較分析を行い、
前記執行ユニットは、前記方向転換動向の比較分析に基づき、所定機能を執行することを特徴とする電子装置の入力装置。
【請求項２】
前記入力装置は、タッチスクリーンであることを特徴とする請求項１記載の電子装置の入力装置。
【請求項３】
前記入力インターフェイスは、タッチパネルであることを特徴とする請求項１記載の電子装置の入力装置。
【請求項４】
前記入力インターフェイスは、所定時間ごとに前記手書き筆跡の各座標点を記録し、複数の座標点を生成することを特徴とする請求項１記載の電子装置の入力装置。
【請求項５】
前記座標点は、処理ユニットが前記近隣の座標点間の角度または傾斜ベクトルおよび長さを算出することによって得られることを特徴とする請求項４記載の電子装置の入力装置。
【請求項６】
前記処理ユニットは、前記近隣座標点間の角度または傾斜ベクトルの変化によって、前記方向転換動向が前記座標点を通過する数量および角度または傾斜ベクトルを算出することを特徴とする請求項５記載の電子装置の入力装置。
【請求項７】
前記処理ユニットは、予め設けられたデータベースと前記方向転換動向が前記座標点を通過する数量および角度または傾斜ベクトルとを比較することによって、前記対応する所定機能を確認することを特徴とする請求項６記載の電子装置の入力装置。
【請求項８】
前記所定機能は、予め設定されたメッセージの自動返信機能、関数計算機の機能、音量調節機能または装置の操作ボタンと同等のショートカット機能であることを特徴とする請求項１記載の電子装置の入力装置。
【請求項９】
前記手書き筆跡は、１画のハートマークによって前記予め設定されたメッセージの自動返信機能を執行することを特徴とする請求項８記載の電子装置の入力装置。
【請求項１０】
前記手書き筆跡は、１画の文字Ｘによって前記関数計算機機能を執行することを特徴とする請求項８記載の電子装置の入力装置。
【請求項１１】
前記手書き筆跡は、右回りの円または左周りの円によって音量調節機能を執行することを特徴とする請求項８記載の電子装置の入力装置。
【請求項１２】
前記手書き筆跡は、１画の予め設定された手書き筆跡によって装置の操作ボタンと同等のショートカット機能を執行することを特徴とする請求項８記載の電子装置の入力装置。
【請求項１３】
前記装置の操作ボタンと同等のショートカット機能は、プログラム執行、切り取り機能、貼り付け機能、特定語句の入力機能またはマクロ機能であることを特徴とする請求項１２記載の電子装置の入力装置。
【請求項１４】
入力インターフェイス、処理ユニットおよび執行ユニットを備えた電子装置の入力装置において、
１画の手書き筆跡を入力するステップと、
前記手書き筆跡の方向転換動向を比較分析するステップと、
前記方向転換動向の比較分析に基づいて所定機能を執行するステップと
を含むことを特徴とする電子装置の入力方法。
【請求項１５】
前記入力装置は、タッチスクリーンであることを特徴とする請求項１４記載の電子装置の入力方法。
【請求項１６】
前記入力インターフェイスは、タッチパネルであることを特徴とする請求項１４記載の電子装置の入力方法。
【請求項１７】
さらに、所定時間ごとに前記手書き筆跡の各座標点を記録し、複数の座標点を生成するステップを含むことを特徴とする請求項１４記載の電子装置の入力方法。
【請求項１８】
さらに、前記座標点によって前記近隣の座標点間の角度または傾斜ベクトルおよび長さを算出するステップを含むことを特徴とする請求項１７記載の電子装置の入力方法。
【請求項１９】
さらに、前記近隣座標点間の角度または傾斜ベクトルの変化に基づいて、前記方向転換動向が前記座標点を通過する数量および角度または傾斜ベクトルを算出するステップを含むことを特徴とする請求項１８記載の電子装置の入力方法。
【請求項２０】
予め設けられたデータベースと前記方向転換動向が前記座標点を通過する数量および角度または傾斜ベクトルとを比較することによって、前記対応する所定機能を確認することを特徴とする請求項１４記載の電子装置の入力方法。
【請求項２１】
前記所定機能は、予め設定されたメッセージの自動返信機能、関数計算機の機能、音量調節機能または装置の操作ボタンと同等のショートカット機能であることを特徴とする請求項１４記載の電子装置の入力方法。
【請求項２２】
前記手書き筆跡は、１画のハートマークによって前記予め設定されたメッセージの自動返信機能を執行することを特徴とする請求項２１記載の電子装置の入力方法。
【請求項２３】
前記手書き筆跡は、１画の文字Ｘによって前記関数計算機機能を執行することを特徴とする請求項２１記載の電子装置の入力方法。
【請求項２４】
前記手書き筆跡は、右回りの円または左周りの円によって音量調節機能を執行することを特徴とする請求項２１記載の電子装置の入力方法。
【請求項２５】
前記手書き筆跡は、１画の予め設定された手書き筆跡によって装置の操作ボタンと同等のショートカット機能を執行することを特徴とする請求項２１記載の電子装置の電子装置の入力方法。
【請求項２６】
前記装置の操作ボタンと同等のショートカット機能は、プログラム執行、切り取り機能、貼り付け機能、特定語句の入力機能またはマクロ機能であることを特徴とする請求項２５記載の電子装置の入力方法。
【発明の詳細な説明】
【技術分野】
【０００１】
本発明は、電子装置における入力装置およびその入力方法の技術に関する。
【背景技術】
【０００２】
図１は、従来技術における電子装置の操作制御の様子を示す模式図である。図１において、使用者１０は頭部、顔、眼または手などの体の器官を使用して電子装置１１の機能を操作制御する。図中、電子装置１１は撮影機１２によって使用者１０の映像を読み取り、読み取った画像間の変動程度に応じてどの機能を執行すべきかを判断する。頭部を左右に回動させて電子装置１１上の表示画面の角度を調整したり、手の移動や手振りの変化によって電子装置１１を起動したり、マルチメディア機能を終了したり、使用者１０の眼球の回動によって電子装置１１上のカーソルを制御したりする。
【０００３】
図２は、従来技術における電子装置の操作制御の様子を示す模式図である。図２において、使用者１０はマイクまたはその他の音声入力装置２０によって電子装置１１の機能を操作制御する。図中、電子装置１１はマイクまたはその他の音声入力装置２０によって使用者１０の音声信号を読み取り、音声の識別によって文字データベースから文字を取り込んだり、音声命令を判断して所定機能を執行する。例えば、使用者１０が「本発明が示すのは、・・・」と声を出すと、電子装置１１が即座にモニタに「本発明が示すのは、・・・」と表示したり、使用者１０が「終了」と声を出すと、電子装置１１は終了動作を行う。
【０００４】
図３は、従来技術における電子装置の操作制御の様子を示す模式図である。図３において、使用者１０はタッチスクリーン３０またはタッチパネル３１によって電子装置１１の機能を操作制御する。図中、使用者はタッチペン３２を使用してタッチスクリーン３０またはタッチパネル３１を通じて電子装置１１に手書き文字入力、文字比較、文字判定および近似文字選択を行い、最終的に選択した文字を表示したり、タッチスクリーン３０上の対応する機能ブロックをタッチペン３２で選択したりする。
【０００５】
上述の従来技術は高い認識率が必要である以外に、撮影機、マイク、音声入力装置またはタッチパネルなど関連する入力設備が必要であり、電子装置の携帯に不便になっている。また、使用者が携帯可能な電子装置を歩きながら使用するとき、使用者はタッチペンでタッチスクリーン上に表示された小さな文字または機能表を選択するが、この操作は非常に不便である。或いは、使用者が会議中に電子装置を使用して重要なショートメールを受信したとき、使用者は体の器官の画像、音声認識、タッチペンによる非常に小さな文字の選択または手書き入力などによって電子装置を操作して返信を行うことは困難である。或いは、使用者が関数計算ソフトを使用したいとき、タッチペンまたはマウスなどの周辺機器によって、表示画面から必要なソフトを探し出すことは極めて不便である。また、使用者が車の運転中に例えばＰＤＡなどの携帯型電子装置を車内の音響設備と接続して音楽を聴いているとき、携帯型電子装置の音量を調整する必要があるとき、タッチペンでスクリーン上方の音声調整部分をドラッグして音量を調整することは非常に不便である。
【特許文献１】特開２００５−１１５８０８号公報
【発明の開示】
【発明が解決しようとする課題】
【０００６】
上述の問題に鑑み、如何に上述の従来技術の欠点を解決できる電子装置の入力装置およびその入力方法を提供することができるか、また、多くの使用者に高い利便性を提供することができるかが、重要な課題であった。
本発明の第１の目的は、電子装置において、使用者が一画の手書き筆跡で指定の機能を執行することができる入力装置およびその入力方法を提供することにある。
本発明の第２の目的は、電子装置において、操作が簡単で高い認識率を備える入力装置およびその入力方法を提供することにある。
本発明の第３の目的は、携帯型電子装置において、操作インターフェイスに好適な操作が簡単で便利な入力装置およびその入力方法を提供することにある。
【課題を解決するための手段】
【０００７】
上述の課題を解決するために、本発明の電子装置の入力装置は少なくとも入力インターフェイス、処理ユニットおよび執行ユニットを備える。入力インターフェイスはタッチスクリーンまたはタッチパネルとすることができ、使用者は指またはタッチペンで１画の手書き筆跡を書き込むことによって入力を行うことができる。また、入力インターフェイスは予め設定された時間ごとにこの入力された手書き筆跡の各座標点を記録し、複数の座標点を生成することができる。処理ユニットは上述の手書き筆跡に対して方向転換動向の比較分析を行い、それによって近隣座標点間の角度または傾斜ベクトルおよびその長さを算出し、これらの座標点間の角度または傾斜ベクトルの変化に基づいて、その方向転換動向が通過する点の数量およびその角度または傾斜ベクトルを算出する。このとき、処理ユニットはこれらの方向転換動向が通過する点の数量およびその角度または傾斜ベクトルを予め設けられたデータベースと比較し、対応する所定機能を確認する。執行ユニットはこの方向転換動向の比較結果に基づいて対応する所定機能を執行する。
注意すべき点として、ここでの所定機能は予め設けられたメッセージを自動返信する機能、関数計算機の機能、音量調節機能または装置の操作ボタンと同等のショートカット機能とすることができる点である。上述の機能に対応して、使用者は１画のハート形の手書き筆跡によって自動返信機能を執行したり、１画のＸの手書き筆跡で関数計算機機能を執行したり、１画の右向きの円または左向きの円によって音量調節機能を執行したりすることができる。また、使用者は１画の手書き筆跡で装置の操作ボタンと同等のショートカット機能を執行することができる。ここでの装置の操作ボタンと同等のショートカット機能はプログラムの執行、切り取り機能、貼り付け機能、特定の語句の入力機能またはマクロ機能とすることができる。
【０００８】
上述の入力装置に基づいて、本発明は入力方法を提供する。その方法は少なくとも下記のステップを含む。
（ａ）タッチスクリーンまたはタッチパネルによって１画の手書き筆跡を入力する。
（ｂ）この手書き筆跡の方向転換動向を比較分析する。
（ｃ）上述の方向転換動向の比較結果に基づいて所定機能を執行する。
【０００９】
上述の比較分析に関して、各所定時間ごとに手書き筆跡の各座標点を記録することによって複数の座標点を生成することができる。これらの座標点によって、近隣座標点間の角度および長さを算出し、これらの角度の変化から上述の方向転換動向の通過点の数量およびその角度が算出される。最後に予め設けられたデータベースとこの方向転換動向の通過点の数量およびその角度を比較したあと、上述の対応する所定機能を確認することができる。注意すべき点は、ここでの所定の機能は予め設けられたメッセージを自動返信する機能、関数計算機の機能、音量調節機能または装置の操作ボタンと同等のショートカット機能とすることができる点である。上述の機能に対応して、使用者は１画のハート形の手書き筆跡によって自動返信機能を執行したり、１画のＸの手書き筆跡で関数計算機機能を執行したり、１画の右向きの円または左向きの円によって音量調節機能を執行したりすることができる。また、使用者は１画の手書き筆跡で装置の操作ボタンと同等のショートカット機能を執行することができる。ここでの装置の操作ボタンと同等のショートカット機能はプログラムの執行、切り取り機能、貼り付け機能、特定の語句の入力機能またはマクロ機能とすることができる。
【００１０】
すなわち、請求項１の発明は、入力インターフェイス、処理ユニットおよび執行ユニットを備え、前記入力インターフェイスは、外部から所定の１画の手書き筆跡を入力し、前記処理ユニットは、前記手書き筆跡の方向転換動向の比較分析を行い、
前記執行ユニットは、前記方向転換動向の比較分析に基づき、所定機能を執行することを特徴とする電子装置の入力装置である。
【００１１】
請求項２の発明は、前記入力装置は、タッチスクリーンであることを特徴とする請求項１記載の電子装置の入力装置である。
請求項３の発明は、前記入力インターフェイスは、タッチパネルであることを特徴とする請求項１記載の電子装置の入力装置である。
請求項４の発明は、前記入力インターフェイスは、所定時間ごとに前記手書き筆跡の各座標点を記録し、複数の座標点を生成することを特徴とする請求項１記載の電子装置の入力装置である。
請求項５の発明は、前記座標点は、処理ユニットが前記近隣の座標点間の角度または傾斜ベクトルおよび長さを算出することによって得られることを特徴とする請求項４記載の電子装置の入力装置である。
請求項６の発明は、前記処理ユニットは、前記近隣座標点間の角度または傾斜ベクトルの変化によって、前記方向転換動向が前記座標点を通過する数量および角度または傾斜ベクトルを算出することを特徴とする請求項５記載の電子装置の入力装置である。
請求項７の発明は、前記処理ユニットは、予め設けられたデータベースと前記方向転換動向が前記座標点を通過する数量および角度または傾斜ベクトルとを比較することによって、前記対応する所定機能を確認することを特徴とする請求項６記載の電子装置の入力装置である。
請求項８の発明は、前記所定機能は、予め設定されたメッセージの自動返信機能、関数計算機の機能、音量調節機能または装置の操作ボタンと同等のショートカット機能であることを特徴とする請求項１記載の電子装置の入力装置である。
請求項９の発明は、前記手書き筆跡は、１画のハートマークによって前記予め設定されたメッセージの自動返信機能を執行することを特徴とする請求項８記載の電子装置の入力装置である。
請求項１０の発明は、前記手書き筆跡は、１画の文字Ｘによって前記関数計算機機能を執行することを特徴とする請求項８記載の電子装置の入力装置である。
請求項１１の発明は、前記手書き筆跡は、右回りの円または左周りの円によって音量調節機能を執行することを特徴とする請求項８記載の電子装置の入力装置である。
請求項１２の発明は、前記手書き筆跡は、１画の予め設定された手書き筆跡によって装置の操作ボタンと同等のショートカット機能を執行することを特徴とする請求項８記載の電子装置の入力装置である。
請求項１３の発明は、前記装置の操作ボタンと同等のショートカット機能は、プログラム執行、切り取り機能、貼り付け機能、特定語句の入力機能またはマクロ機能であることを特徴とする請求項１２記載の電子装置の入力装置である。
【００１２】
請求項１４の発明は、入力インターフェイス、処理ユニットおよび執行ユニットを備えた電子装置の入力装置において、１画の手書き筆跡を入力するステップと、前記手書き筆跡の方向転換動向を比較分析するステップと、前記方向転換動向の比較分析に基づいて所定機能を執行するステップとを含むことを特徴とする電子装置の入力方法である。
【００１３】
請求項１５の発明は、前記入力装置は、タッチスクリーンであることを特徴とする請求項１４記載の電子装置の入力方法である。
請求項１６の発明は、前記入力インターフェイスは、タッチパネルであることを特徴とする請求項１４記載の電子装置の入力方法である。
請求項１７の発明は、さらに、所定時間ごとに前記手書き筆跡の各座標点を記録し、複数の座標点を生成するステップを含むことを特徴とする請求項１４記載の電子装置の入力方法である。
請求項１８の発明は、さらに、前記座標点によって前記近隣の座標点間の角度または傾斜ベクトルおよび長さを算出するステップを含むことを特徴とする請求項１７記載の電子装置の入力方法である。
請求項１９の発明は、さらに、前記近隣座標点間の角度または傾斜ベクトルの変化に基づいて、前記方向転換動向が前記座標点を通過する数量および角度または傾斜ベクトルを算出するステップを含むことを特徴とする請求項１８記載の電子装置の入力方法である。
請求項２０の発明は、予め設けられたデータベースと前記方向転換動向が前記座標点を通過する数量および角度または傾斜ベクトルとを比較することによって、前記対応する所定機能を確認することを特徴とする請求項１４記載の電子装置の入力方法である。
請求項２１の発明は、前記所定機能は、予め設定されたメッセージの自動返信機能、関数計算機の機能、音量調節機能または装置の操作ボタンと同等のショートカット機能であることを特徴とする請求項１４記載の電子装置の入力方法である。
請求項２２の発明は、前記手書き筆跡は、１画のハートマークによって前記予め設定されたメッセージの自動返信機能を執行することを特徴とする請求項２１記載の電子装置の入力方法である。
請求項２３の発明は、前記手書き筆跡は、１画の文字Ｘによって前記関数計算機機能を執行することを特徴とする請求項２１記載の電子装置の入力方法である。
請求項２４の発明は、前記手書き筆跡は、右回りの円または左周りの円によって音量調節機能を執行することを特徴とする請求項２１記載の電子装置の入力方法である。
請求項２５の発明は、前記手書き筆跡は、１画の予め設定された手書き筆跡によって装置の操作ボタンと同等のショートカット機能を執行することを特徴とする請求項２１記載の電子装置の電子装置の入力方法である。
請求項２６の発明は、前記装置の操作ボタンと同等のショートカット機能は、プログラム執行、切り取り機能、貼り付け機能、特定語句の入力機能またはマクロ機能であることを特徴とする請求項２５記載の電子装置の入力方法である。
【発明の効果】
【００１４】
本発明の電子装置の入力装置およびその入力方法によれば、使用者は１画のハート形の手書き筆跡によって自動返信機能を執行したり、１画のＸの手書き筆跡で関数計算機機能を執行したり、１画の右向きの円または左向きの円によって音量調節機能を執行したりすることができる。また、使用者は１画の手書き筆跡で装置の操作ボタンと同等のショートカット機能を執行することができる。ここでの装置の操作ボタンと同等のショートカット機能はプログラムの執行、切り取り機能、貼り付け機能、特定の語句の入力機能またはマクロ機能とすることができる。したがって、操作が簡単で高い認識率を備える電子装置の入力装置およびその入力方法とすることができる。
【発明を実施するための最良の形態】
【００１５】
本発明を詳細に説明する実施例を図に沿って下記に示す。
図４は、本発明の入力装置の実施例を示す斜視図である。図４において、入力装置４は入力インターフェイス４０、処理ユニット４１および執行ユニット４２を備える。入力インターフェイス４０はタッチスクリーンまたはタッチパネルとすることができ、携帯型コンピュータ装置またはＰＤＡ４３に設けることができる。
それによって、使用者は指やタッチペンによって、所謂１筆書きの１画の手書き筆跡４０１を入力できる。処理ユニット４１はソフトプログラムまたはハード回路とすることができ、手書き筆跡４０１の方向転換動向を比較分析する。また、執行ユニットはソフトプログラムまたはハード回路とすることができ、上述の方向転換動向の比較分析結果に基づいて所定機能を執行する。
【００１６】
図５は、本発明の入力インターフェイスの実施例を示す斜視図である。図５において、手書き入力と同時に、入力インターフェイス４０は例えば１０マイクロセカンドなどの各所定時間ごとに、手書き筆跡４０１の各座標点４０１１、４０１２、４０１３、４０１４、４０１５を記録する。
処理ユニット４１は、例えば、座標点４０１１から座標点４０１２までの角度または傾斜ベクトルおよび長さといったように座標点４０１１、４０１２、４０１３、４０１４、４０１５とその近隣の座標点４０１１、４０１２、４０１３、４０１４、４０１５との間の角度または傾斜ベクトルおよび長さを計算する。その後、処理ユニットはこれらの角度または傾斜ベクトルの変化に基づいて方向転換動向の通過点の数量および角度または傾斜ベクトルを算出する。
【００１７】
図６は、本発明の入力インターフェイスの実施例を示す斜視図である。使用者は会議中などにおいて、本発明の入力インターフェイス４０のタッチスクリーン上に指またはタッチペンで１画でハートマークを書くだけで本発明の入力装置は「わたしを待たないで先に食事をしてください。」といった予め設けられたメッセージを自動返信することができる。
【００１８】
図７は、本発明の入力インターフェイスの実施例を示す斜視図である。使用者が関数計算機の機能を使用したいとき、本発明の入力インターフェイス４０のタッチスクリーン上に指または１画でタッチペンでＸと書くだけで本発明の入力装置は自動的に関数計算機機能を開始する。
【００１９】
図８は、本発明の入力インターフェイスの実施例を示す斜視図である。使用者が携帯型コンピュータまたはＰＤＡの音量を調節したいとき、本発明の入力インターフェイス４０のタッチスクリーンに１画で右回りの円を書いて音量を上げたり、左回りの円を書いて音量を下げたりする。
【００２０】
図９は、本発明の入力方法の実施例を示すフローチャートの図である。
図９において、入力方法は少なくとも下記のステップ（９０〜１１４）を含む。
ステップ９０：入力インターフェイス上に指で１画のハート、１画のＸ、１画の右回りの円または左回りの円、或いは予め設定された１画の手書き筆跡を入力する。
ステップ９１：入力途中、例えば毎１０マイクロセカンドといった所定時間に一度通過点を記録する。
ステップ９２：ステップ９１の全ての通過点の座標値をメモリ内に保存する。
ステップ９３：各点間を結ぶ角度または傾斜ベクトルを算出する。
ステップ９４：第１の点（起点）から点と点との間の角度または傾斜ベクトルを検査する。
ステップ９５：第１の点であるかどうかを判定する。仮にそうであればステップ９６に進む。そうでなければステップ９８に進む。
ステップ９６：第１の点から第２の点への角度または傾斜ベクトルを始めの方向転換動向ベクトルとする。
ステップ９７：ステップ９６の方向転換動向ベクトルを保存する。
ステップ９８：ステップ９５に続き、前の点とを結ぶ角度が例えば２０度といったような所定の許容範囲を超えるかどうかを判定する。仮にそうであればステップ９９に進む。そうでなければステップ１０１を執行する。
ステップ９９：ステップ９８に続き、その状態が二点以上続くかどうかを判定する。仮にそうであればステップ９７を執行する。そうでなければステップ１００を執行する。
ステップ１００：ステップ９９に続き、この点を無視し、方向転換角度の誤判断を避ける。
ステップ１０１：次の点を継続して比較する。
ステップ１０２：全てを結ぶ角度または傾斜ベクトルの処理がすべて終わったかどうかを判定する。仮にそうでなければステップ９５に戻る。そうであればステップ１０３を執行する。
【００２１】
ステップ１０３：各方向転換角度または傾斜ベクトルを記録する。
ステップ１０４：各方向転換動向ベクトルの通過点の数量を記録する。
ステップ１０５：上述の角度または傾斜ベクトルおよびその通過点数量（分析結果）を保存するか、比較に使用するかの確認を行う。仮に保存する場合はステップ１０６、１０７、１０８を執行する。比較を行う場合はステップ１０９を執行する。
ステップ１０６：上述の分析結果を予め設けられたデータベースに保存する。
ステップ１０７：この分析結果を例えばメッセージ自動返信機能、関数計算機機能、音量調節機能または装置の操作ボタンと同等のショートカット機能のどの所定機能に対応させるかを指定する。
ステップ１０８：所定機能の設定が完了する。
ステップ１０９：ステップ１０５に続き、予め設けられたデータベースから保存された分析結果を読み取り、方向転換動向の通過点の数量を比較する。
ステップ１１０：方向転換動向の通過点の角度または傾斜ベクトルの差異を比較する。
ステップ１１１：上述のステップ１０９および１１０に基づいて比較データとの類似度の推定を行う。
ステップ１１２：上述のステップ１１１の類似度が所定の値に符合するかどうかを判定する。仮にそうであれば（合格）、ステップ１１３を執行する。そうでなければ（不合格）、ステップ１１４を執行する。
ステップ１１３：対応する所定機能を執行する。
ステップ１１４：使用者にデータベースにこの手書き筆跡の記録がないことを通知する。
【００２２】
このように、本実施例では所定機能は予め設けられたメッセージを自動返信する機能、関数計算機の機能、音量調節機能または装置の操作ボタンと同等のショートカット機能とすることができる点である。上述の機能に対応して、使用者は１画のハート形の手書き筆跡によって自動返信機能を執行したり、１画のＸの手書き筆跡で関数計算機機能を執行したり、１画の右向きの円または左向きの円によって音量調節機能を執行したりすることができる。また、使用者は１画の手書き筆跡で装置の操作ボタンと同等のショートカット機能を執行することができる。ここでの装置の操作ボタンと同等のショートカット機能はプログラムの執行、切り取り機能、貼り付け機能、特定の語句の入力機能またはマクロ機能とすることができる。
したがって、本実施例は操作が簡単であって、高い認識率を備える入力装置およびその入力方法であるので、従来技術のように、別途、撮影機、マイク、音声入力装置またはタッチパネルなども必要がなく、また、使用者がタッチペンでタッチスクリーン上に表示された小さな文字または機能表を選択する必要や、例えば、音声調整部分をドラッグして音量を調整する必要もない。
以上は、好適な実施例によって本発明を詳細に説明したものであり、本発明の範囲を限定するものではなく、当該技術に熟知するものは本発明の主旨を逸脱しない範囲において変更および調整を行うことができる。
【図面の簡単な説明】
【００２３】
【図１】従来技術による電子装置の操作制御を示す模式図である。
【図２】従来技術による電子装置の操作制御を示す模式図である。
【図３】従来技術による電子装置の操作制御を示す模式図である。
【図４】本発明の入力装置の実施例を示す斜視図である。
【図５】本発明の入力装置の入力インターフェイスを示す斜視図である。
【図６】本発明の入力装置の入力インターフェイスを示す斜視図である。
【図７】本発明の入力装置の入力インターフェイスを示す斜視図である。
【図８】本発明の入力装置の入力インターフェイスを示す斜視図である。
【図９】本発明の入力方法を示すフローチャートの図である。
【符号の説明】
【００２４】
４    入力装置
４０  入力インターフェイス
４０１手書き筆跡
４０１１、４０１２、４０１３、４０１４、４０１５  座標点
４１  処理ユニット
４２  執行ユニット
４３  携帯型コンピュータ装置またはＰＤＡ
【図１】
2007317159.tif 000003
【図２】
2007317159.tif 000004
【図３】
2007317159.tif 000005
【図４】
2007317159.tif 000006
【図５】
2007317159.tif 000007
【図６】
2007317159.tif 000008
【図７】
2007317159.tif 000009
【図８】
2007317159.tif 000010
【図９】
2007317159.tif 000011